(57)【要約】      （修正有）【課題】操作性がよく、連続的に運転することができる小型で廉価な焼却炉を提供する。【解決手段】耐火物からなる円形炉底に埋め込まれ、且つ傾斜した複数のエアー吹き込みノズル５３と、該円形炉底中心に設けた通風孔６４を貫通する回転軸上端に、一端を端板で閉塞した円筒５９を固設し、該円筒上部側面から水平に延伸する管体６２を設け、該管体に複数の垂下する複数の通風孔を備えた攪拌体６３と、円筒燃焼炉側壁上部へ接線方向に投入する燃料投入口５０と、該円筒燃焼炉側壁下部へ内部に火炎を噴射するバーナーと、燃焼室上部には円筒空間を設け、該円筒空間に位置される燃焼炉で燃焼した排出される燃焼ガスで管外を加熱する複数の加熱管の一端が、該円筒空間天面と他端が該円筒空間側面下部と連通するように設け、該円筒空間側面と上部を覆う熱水槽と、該熱水槽上部を貫通する煙道とを備えた乾燥バイオ燃料粉を燃焼させる燃焼炉。【選択図】図４
0003151271.tif 000002
【実用新案登録請求の範囲】
【請求項１】
乾燥バイオ燃料粉を燃焼させる燃焼炉であって、耐火物からなる円形炉底に埋め込まれ、且つ傾斜した複数のエアー吹き込みノズルと、該円形炉底中心に設けた通風孔を貫通する回転軸上端に、一端を端板で閉塞した円筒を固設し、該円筒上部側面から水平に延伸する管体を設け、該管体に複数の垂下する複数の通風孔を備えた攪拌体と、円筒燃焼炉側壁上部へ接線方向に投入する燃料投入口と、該円筒燃焼炉側壁下部へ内部に火炎を噴射するバーナーと、燃焼室上部には円筒空間を設け、該円筒空間に位置される燃焼炉で燃焼した排出される燃焼ガスで管外を加熱する複数の加熱管の一端が、該円筒空間天面と他端が該円筒空間側面下部と連通するように設け、該円筒空間側面と上部を覆う熱水槽と、該熱水槽上部を貫通する煙道とを備えたことを特徴とする乾燥バイオ燃料粉燃焼炉。
【請求項２】
エアー吹き込みノズルは、先端にノズルを備え、上記円形炉底中心から複数の放射線状に配設され、且つ放射線に対し千鳥状に配設され、上記燃料投入口と同一方向に傾斜角度を１５〜３０度としたことを特徴とする請求項１に記載の乾燥バイオ燃料粉燃焼炉。
【請求項３】
上記円形炉底下部にエアーチャンバーを設け、該エアーチャンバー内部に上記回転軸駆動装置を備え、該エアーチャンバーへ空気を供給する送風機を備えたことを特徴とする請求項１又は２に記載の乾燥バイオ燃料粉燃焼炉。
【請求項４】
上記一端を端板で閉塞した円筒の下端部外周に極小隙間を設けて、上記円形炉底の基部から短管を設けたことを特徴とする請求項１〜３に記載の乾燥バイオ燃料粉燃焼炉。
【請求項５】
上記攪拌体の下端は閉塞され、該攪拌体の通風孔は回転方向に位置し、該攪拌体を上下自在に移動固設するソケットを設けたことを特徴とする請求項１〜４に記載の乾燥バイオ燃料粉燃焼炉。
【請求項６】
上記燃焼炉の円形炉底外周部に灰出し開口部を設けたことを特徴とする請求項１〜５に記載の乾燥バイオ燃料粉燃焼炉。
【請求項７】
上記煙道の吐出側に、下部に煤塵収集チャンバーを設けたサイクロンを設け、該サイクロン排煙筒に排煙ジェットを設けたことを特徴とする請求項１〜６に記載の乾燥バイオ燃料粉燃焼炉。
【請求項８】
上記熱水槽外周上部に温水の吐出口と下部に吸込み口を設けたことを特徴とする請求項１〜７に記載の乾燥バイオ燃料粉燃焼炉。
【考案の詳細な説明】
【技術分野】
【０００１】
本考案は、乾燥バイオ燃料粉を燃料とする燃焼炉に関するもので、特に有害ガス等を発生することが無く、操作性が良好で、ボイラ機能を有する燃焼炉に関するものである。
【背景技術】
【０００２】
従来、おが屑、木屑等の自然物の微粉体を焼却処理する焼却炉が提案されている。（特許文献１）即ち、スクリューコンベアから圧搾空気と共に供給された被燃焼物は、被燃焼物が燃焼に要する燃焼空気量を確保して燃焼し、炉本体内ではスクリューコンベアが炉本体の外周の接線方向に対し、被燃焼物及び圧搾空気を供給することにより、被燃焼物は炉本体内でその外周を旋回しながら燃焼し、燃焼するまでの飛翔軌跡を長くすることができ、より完全燃焼が可能となり、燃焼ガスは、水冷式容器を通過するから外部に排出される燃焼ガスの温度を低くすることができるロータリー焼却炉が提案されている。
しかしながら、該ロータリー焼却炉の下端には五徳としての桟を設け、焼却灰を下方に落下させて、焼却灰を舞い上がらせないようにしているが、おが屑、木屑等の自然物の微粉体であるために、桟から落下した微粉体が不完全燃焼となる不具合がある。また、燃焼空気を炉本体の外周を旋回させる流れと、炉本体側面から炉本体中心方向の流れで構成しているので、焼却炉の下端に不完全燃焼の微粉体が溜まりやすく、桟から落下しやすい。桟から落下した焼却灰は、焼却排出部から人手により排出操作をする煩わしさがある。更に、炉本体内で燃焼した燃焼ガスを炉本体の上部に形成した複数の管内を通過させて排出しているので、複数の管内総断面積が炉本体断面積より小さくなり、その結果、複数の管内を通過する燃焼ガス速度が速くなり、焼却灰が複数の管内へ誘引され易いという不具合がある。
【０００３】
また従来、木屑およびバイオマスペレットを燃焼する燃焼炉において、燃焼炉上部に蒸気発生器・温水発生器・温風発生器のような熱交換部があり、燃焼炉底中央に設けた燃焼灰排出口に向かって低くなった傾斜をもつ燃焼炉の床面と、燃焼空気を３つに分け、1つ目は着火バーナーの送風口から、２つ目は燃焼炉床面から上方に吹き込み、３つ目は燃焼炉側壁から旋回流が生じる方向に吹き込むことにより、木屑またはペッレトを燃焼しながら移動させ、最後には燃焼灰を炉底中央部より自動的に吐き出せる構造をもつ燃焼炉（特許文献２）が提案されている。
燃焼炉床面から上方に吹き込む燃焼空気量を、燃料投入域から燃焼終了域まで次第に減少させ、上方に吹き込む燃焼空気方向を炉の向中心軸とし、燃焼炉側壁から旋回流が生じる方向に吹き込む燃焼空気との燃焼時における燃焼炉内でのこれら総合的な燃焼空気の流れは、燃焼炉垂直断面（図示せず）において、燃焼炉中心から上方へ移動し、熱交換部下部へ達し、燃焼炉内周壁へ移動し、燃焼炉内周壁を下へ移動し、燃焼炉床面へ達し、傾斜した燃焼炉床面を移動し、燃焼炉中心へ向かう。また、燃焼炉平断面において、下部では燃焼炉中心へ向かう旋回流、上部では燃焼炉中心から外へ向かう旋回流となる。従って、焼却灰は、燃焼炉内周壁下部に溜まりやすく、特に燃焼炉側壁から旋回流を生じさせる吹き出し口間の風速の遅い場所に溜まりやすく、次第に累積し不完全燃焼となる不具合がある。また、焼却灰を燃焼炉底中央に設けた焼却灰排出口から下部へ排出させているので、貯灰箱を設けるスペースを必要とし、また、燃焼炉底下部へ手を入れて操作をする煩わしさがあり、更には、燃焼炉底下部に設けたエアーチャンバーを大きくすることができないので、送風機の動圧が、燃焼炉床面から上方に吹き込む吹き出し口に影響を与え、各吹き出し口の燃焼空気量にアンバランスを生じさせ、焼却灰がスムーズに排出されないという不具合がある。
【０００４】
更に従来、焼却炉本体と、該焼却炉本体の内部に設けられ、複数の離間する羽根部材を備えた撹拌手段と、該撹拌手段を回転駆動する回転駆動源と、前記焼却炉本体の内部に設けられ、前記撹拌手段の回転作用下に前記複数の離間する羽根部材間に相対的に臨入する固定刃と、を備え、前記撹拌手段は中空状に形成され、さらに複数のエアー噴出口を画成した焼却炉が提案されている。（特許文献３）本提案は、生ゴミ、プラスチック製品等、種類、大きさも含めて多くの種類の廃棄物を一括燃焼処理し、ほぼ完全に焼却でき、残滓を少なくし、燃焼時に発生する有害ガスの発生のおそれもない小型化に適した焼却炉を提案したものである。
上記焼却炉は、連続方式ではなくバッチ方式の焼却炉であるので、廃棄物の投入や、燃焼処理後の残滓処理を行う操作の煩わしさがあり、多量の廃棄物処理には不向きで、また連続的に燃焼を必要とする熱交換器を付属させて温水を作るなどの多機能化ができない。
【先行技術文献】
【特許文献】
【０００５】
【特許文献１】特開２００３−３２２３１８号公報
【特許文献２】実用新案登録第３０９９２２４号公報
【特許文献３】特開平７−３１０９１５号公報
【考案の概要】
【考案が解決しようとする課題】
【０００６】
上述するような従来技術に鑑み、本考案では、乾燥バイオ燃料粉を燃料とし有害ガス等を発生することなく焼却することができ、操作性がよく、連続的に運転することができる小型で廉価な焼却炉を提供することを課題とする。
【課題を解決するための手段】
【０００７】
本考案の考案者らは、上記課題を解決すべく鋭意検討を重ねた結果、以下の構成を有する考案を完成するに至った。
第１の考案は、乾燥バイオ燃料粉を燃焼させる燃焼炉であって、耐火物からなる円形炉底に埋め込まれ、且つ傾斜した複数のエアー吹き込みノズルと、該円形炉底中心に設けた通風孔を貫通する回転軸上端に、一端を端板で閉塞した円筒を固設し、該円筒上部側面から水平に延伸する管体を設け、該管体に複数の垂下する複数の通風孔を備えた攪拌体と、円筒燃焼炉側壁上部へ接線方向に投入する燃料投入口と、該円筒燃焼炉側壁下部へ内部に火炎を噴射するバーナーと、燃焼室上部には円筒空間を設け、該円筒空間に位置される燃焼炉で燃焼した排出される燃焼ガスで管外を加熱する複数の加熱管の一端が、該円筒空間天面と他端が該円筒空間側面下部と連通するように設け、該円筒空間側面と上部を覆う熱水槽と、該熱水槽上部を貫通する煙道とを備えたことを特徴とするもので、上記課題を実現できることを見出した。
乾燥バイオ燃料粉とは、家畜の糞尿を熱によって離水・乾燥処理したもので、木質系微細粉体が含まれ着火性能が良く、低温でも自燃焼する乾燥有機物である。また、家畜糞尿に限られることなく、野菜や食品の残渣等の高含水率の屑を、適宜、シュレッダー等で粉砕事前処理し、木質系微細粉体を用い熱によって離水・乾燥処理した乾燥有機物等も含まれる。
【０００８】
第２の考案は、請求項１の乾燥バイオ燃料粉燃焼炉であって、エアー吹き込みノズルは、先端にノズルを備え、上記円形炉底中心から複数の放射線状に配設され、且つ放射線に対し千鳥状に配設され、上記燃料投入口と同一方向に傾斜角度を１５〜３０度としたことを特徴とするものである。該複数のエアー吹き込みノズルは、円形炉底全面積にほぼ均等に配設されている。
【０００９】
第３の考案は、請求項１又は２の乾燥バイオ燃料粉燃焼炉であって、上記円形炉底下部にエアーチャンバーを設け、該エアーチャンバー内部に上記回転軸駆動装置を備え、該エアーチャンバーへ空気を供給する送風機を備えたことを特徴とするものである。
【００１０】
第４の考案は、請求項１〜３の乾燥バイオ燃料粉燃焼炉であって、上記一端を端板で閉塞した円筒の下端部外周に極小隙間を設けて、上記円形炉底の基部から短管を設けたことを特徴とするものである。
【００１１】
第５の考案は、請求項１〜４の乾燥バイオ燃料粉燃焼炉であって、上記攪拌体の下端は閉塞され、該攪拌体の通風孔は回転方向に位置し、該攪拌体を上下自在に移動固設するソケットを設けたことを特徴とするものである。
【００１２】
第６の考案は、請求項１〜５の乾燥バイオ燃料粉燃焼炉であって、上記燃焼炉の円形炉底外周部に灰出し開口部を設けたことを特徴とするものである。
【００１３】
第７の考案は、請求項１〜６の乾燥バイオ燃料粉燃焼炉であって、上記煙道の吐出側に、下部に煤塵収集チャンバーを設けたサイクロンを設け、該サイクロン排煙筒に排煙ジェットを設けたことを特徴とするものである。
【００１４】
第８の考案は、請求項１〜７の乾燥バイオ燃料粉燃焼炉であって、上記熱水槽外周上部に温水の吐出口と下部に吸込み口を設けたことを特徴とするものである。
【考案の効果】
【００１５】
本考案の乾燥バイオ燃料粉燃焼炉の燃焼空気は、円形炉底全面積にほぼ均等に配設され傾斜した複数のエアー吹き込みノズルにより、燃焼炉内で上方向の旋回流とすることができるので、被燃焼物と空気との混ざり合いが良くなり、また被燃焼物が旋回流に滞留する飛翔軌跡を長くすることができ、燃焼効率を向上させ完全燃焼とすることができる。加えて、燃焼室上部に円筒空間を設けているので、被燃焼物の飛翔時間を更に長くすることができ、燃焼効率を向上させ完全燃焼とすることができるとともに、焼却灰の滞留時間も長くなり、熱水槽上部を貫通する煙道から、焼却灰が排出されにくくなる。
燃焼室上部の円筒空間に、管外を加熱する複数の加熱管を設けて温水を作る構成としているが、円筒空間を構成する面積も温水を作る伝熱面積として機能するので、ボイラーとしての伝熱効率を高め、排熱を有効に利用することができる。
煙道の吐出側にサイクロンを設けているので、煙道から排出される焼却灰を捕集でき、周囲の環境に悪影響を与えることが無く、またサイクロン排煙筒に独立して排煙ジェットを設け、単独でその排煙量を制御する設計をすることができるので、燃焼炉内を負圧に保つことができる。一般的に、燃焼時の臭い等を放出しないように、燃焼炉内は負圧とされている。
円形炉底中心に設けた通風孔を貫通する回転軸上端に、一端を端板で閉塞した円筒を固設し、該円筒上部側面から水平に延伸する管体を設け、該管体に複数の垂下する複数の通風孔を備えた攪拌体を設けたので、被燃焼物の含水率等の原因で炉底に被燃焼物が堆積した場合でも、該攪拌体により、その堆積した被燃焼物が崩され燃焼する。また該攪拌体は、上下自在に移動固設することができるので、被燃焼物の堆積状況により調整を行うことができ、確実に被燃焼物を燃焼することができる。更に、被燃焼物の投入量の誤差で被燃焼物が炉底に堆積しても、攪拌体で堆積を崩し旋回流により飛散させることができ、有効に燃焼させることができる。焼却灰は、旋回方向に設けられた通風孔からの通風により吹き飛ばされ、円形炉底中心側の通風孔からの通風は、スピードが速く円形炉底外周側に行くに従って遅くなり、軽くなった焼却灰を確実に円形炉底外周側へ導くことができる。また、同時に、旋回方向に設けられた通風孔からの通風方向は、円形炉底外周側へ向いているので、焼却灰を確実に円形炉底外周側へ導くことができる。
一端を端板で閉塞した円筒の下端部外周に極小隙間を設けて、円形炉底の基部から短管を設けたので、円形炉底下部に設けたエアーチャンバーからの燃焼空気の吐出方向が、円周水平方向でなく燃焼炉上方とすることができ、円形炉底に堆積する被燃焼物を吹き飛ばさず、確実に燃焼させることができる。
燃焼炉の円形炉底外周部に灰出し開口部を設けたので、容易な操作で焼却灰を処理することができ、燃焼炉の円形炉底下部に容積の大きいエアーチャンバーを設けることができる。また、大きなエアーチャンバーは、送風機から供給される空気の動圧をスムーズに静圧に変換することができ、燃焼空気を複数のエアー吹き込みノズルから均一に吐出させることができ、被燃焼物の燃焼を確実に行うことができる。また、回転軸駆動装置を該エアーチャンバーに設けたので、エアーチャンバー外の送風機によって供給される空気により、回転軸駆動装置の冷却を行うことができ、性能維持に効果的である。
熱水槽外周上部に温水の吐出口と下部に吸込み口を設けたので、給湯設備や暖房の熱交換器と接合することにより、有効に排熱を利用することができる。
上記するように、本考案の乾燥バイオ燃料粉燃焼炉は多くの効果を有し、課題を解決するものである。
【図面の簡単な説明】
【００１６】
【図１】本考案の乾燥バイオ燃料粉燃焼炉の正面図
【図２】図１の右側面図
【図３】図１上からの平面図
【図４】本考案の乾燥バイオ燃料粉燃焼炉の要部側面図
【図５】図４の平面図
【図６】図５のA-Aにおける部分断面図
【図７】本考案の乾燥バイオ燃料粉燃焼炉の要部斜視図
【図８】図７のB-Bにおける部分断面図
【考案を実施するための形態】
【００１７】
以下、本考案を実施するための具体的な形態について、図面を参照しながら詳細に説明する。
【００１８】
図１は、本考案の乾燥バイオ燃料粉燃焼炉１０の正面図である。同図において、下から矩形のエアーチャンバー部２０、円形の燃焼室部４０、円形の熱水槽部８０で構成されて公知の螺着等によって固着されている。２１は、基礎フレームで、上部に構成される各種機材を受け、設置場所で乾燥バイオ燃料粉燃焼炉１０の安定した設置に供する。２２は、エアーチャンバー部２０のメンテナンスハッチで、エアーチャンバー部２０外装パネル２３の一部として密閉して、着脱自在に取り付けられている。２４は、内部に図４に示すギヤードモータ２５をカバーする保護カバーで、外装パネル２３とエアーチャンバー部２０を構成している。即ち、保護カバー２４内部とエアーチャンバー部２０内部と連通している。その結果、エアーチャンバー部２０の内容積を、より大きく構成することができるので動圧を静圧に変換しやすくなる。２６は、基礎フレーム２１から延伸して設けられたギヤードモータ受けフレームの一部である。
図２は図１の右側面図で、同図において、２７は、エアーチャンバー部２０へ空気を供給する送風機で、基礎フレーム２１に固設され、吐出ダクト２８が外装パネル２３を介してエアーチャンバー部２０内部と連通している。吐出ダクト２８は、エアーチャンバー部２０の最下部に位置するように取り付けられている。かくして動圧は、エアーチャンバー部２０の下部から、上方へ移動するに従い静圧に変換されやすい。
図３は、図１を上から見た平面図で、図１と図２の補足図である。
図４は、本考案の乾燥バイオ燃料粉燃焼炉の要部断面図を示す。同図において、２９は、軸受けフレームで、基礎フレーム２１に固設され、上部にラジアル軸受け３０、下部にスラスト軸受け３１が設けられ、燃焼室部４０中心線４１として鉛直に回転軸４２を支えている。ラジアル軸受け３０とスラスト軸受け３１の中間に、回転軸４２にスプロケット３２が固着され、ギヤードモータ２５の駆動軸に固着されたスプロケット３３とチェーン３４で、回転軸４２に回転力が伝えられる。エアーチャンバー部２０の天部と底部は、天板３５と底板（図示せず）が設けられ、外装パネル２３とでエアーチャンバー空間３６を構成している。ラジアル軸受け３０やスラスト軸受け３１、チェーン３４、スプロケット３２、３３、ギヤードモータ２５は、送風機から供給される空気で冷却される。
【００１９】
燃焼室部４０は、鋼板等より成る外郭４３が円筒状に形成され、底板４４と固設され、外郭４３からはみ出して、下部のエアーチャンバー天板３５外形に合同してフランジ４５を形成している。外郭４３と底板４４内側には、図４の斜線で示す耐火キャスタブル４６が形成され、外郭４３と底板４４を火炎から保護している。外郭４３の天部には、耐火キャスタブル４６の内径Dの開口を設けた円盤状のフランジ４７が固設され、フランジ４５と外郭４３、フランジ４５を固設補強するガセットプレート４８が、複数設けられている。
図１の４９は、燃焼室部４０の外郭４３に設けられたメンテナンスハッチで、燃焼室部４０内部を点検することができる。５０は、燃料投入口で、燃焼室部４０上部近傍に設けられ、円筒状の外郭４３に固設され、図４の平面図、図５で示すように、耐火キャスタブル４６を貫通して耐火キャスタブル４６の内径D接線方向に取り付けられている。燃料（被燃焼物）は、貯蔵サイロ（図示せず）等からスクリュウコンベア（図示せず）等で、所定量ずつ燃料投入口５０へ供給され、燃焼炉内５２へ投入される。図１の５１は、燃焼室部４０下部近傍に設けられたバーナーで、燃焼炉内５２へ供給された被燃焼物へ火炎を噴射し着火するもので、被燃焼物が自燃焼状態に至った後には火炎噴射を停止させる。また、燃焼炉内５２の温度が自燃焼温度を下回った際には、自動的に火炎を噴射し、燃焼炉内５２温度を自燃焼温度に保つ。（炉内温度センサー図示せず）バーナー５１取り付け位置は、燃料投入口５０下側近傍、図１上からの平面図、図３で示すような、後述する旋回流後方になる位置が望ましい。
図４で示す５３は、エアー吹き込みノズルで、エアーチャンバー空間３６の天板３５と燃焼室部４０の底板４４に設けた開口５４を介して、エアーチャンバー空間３６と燃焼炉内５２が連通されている。図５で示すように、燃焼室部中心線４１に放射状、複数群に配設され、その１群は、燃焼室部中心線４１から燃焼炉側壁５６に向かって千鳥状５５に配設されている。図６は、図５に示すA-A断面で、エアー吹き込みノズル５３が、燃焼室部中心線４１を中心として同心円方向に１５〜３０度傾けて取り付けられていることを示す。それぞれのエアー吹き込みノズル５３が、同心円方向（実施例では時計の針進行方向）に傾けて、燃焼室部４０の底板４４に溶接等で取り付けられている。エアーチャンバー空間３６で高圧となった空気は、それぞれのエアー吹き込みノズル５３から均一スピードで吐出され、燃焼炉内５２で時計の針進行方向の上昇旋回流となり、被燃焼物と空気の混ざり合いが良くなる。
図４に示す５７は、燃焼室部４０の底板４４を中心として固設した円筒の堰で、耐火キャスタブル４６よりやや高く形成されている。円筒の堰５７を回転軸４２が貫通し、円筒の堰５７と回転軸４２の間隙は、通風孔５８が形成されている。５９は、一端を端板６０で閉塞した円筒で、回転軸４２の上端に固設した端板（図示せず）と端板６０が螺着されて、回転軸４２動作と一体で、時計の針進行方向（図５で示す弧状矢印方向）に回転する。円筒５９の他端、下部は、円筒の堰５７上端よりやや被る位置まで形成され、円筒５９の内径は、円筒の堰５７外径より大きく形成されている。６１は、燃焼室部４０の底板４４を中心として固設した短管で、円筒５９の外径と極小の隙間を設け、若干のオーバーラップ代を設けて取り付けられている。エアーチャンバー空間３６で高圧となった空気は、通風孔５８を通過し、短管６１内周面と円筒５９の外径との極小隙間から、円筒５９の外周面をエアーカーテン状に上昇気流として吐出する。したがって、被燃焼物や焼却灰が、短管６１内周面と円筒５９の外径との極小隙間から浸入することを防止できる。
６２は、円筒５９上部側面に連通して固設し水平に延伸して設けた管体で、他端は端板で閉塞されている。６３は、管体６２に連通し、垂下して設けられた円筒形状をした複数の攪拌体で、時計の針進行方向の位置に複数の通風孔６４が設けられている。複数の攪拌体６３の他端は端板で閉塞されている。また、管体６２と連通する側には、ソケット６５を介して攪拌体６３が設けられ、攪拌体６３を上下に公知の螺着等で固設されている。エアーチャンバー空間３６で高圧となった空気は、通風孔５８を通過し、円筒５９上部へ移動し、水平に延伸した管体６２を経て、それぞれの攪拌体６３の通風孔６４から吐出する。図５で示す３本の直線矢印の方向に吐出する。同図から明らかなように、３本の直線矢印は燃焼炉側壁５６に向いているので、軽量になった焼却灰は、燃焼炉側壁５６に向かい、燃焼炉側壁５６下部を旋回方向、時計の針進行方向に周回する。燃料（被燃焼物）は、その湿度が精確に一定ではなく多少のバラツキがあり、そのため、燃料ロットによって供給される燃料の炉底に堆積する状態が異なる。攪拌体６３の上下移動調整することによって、堆積過多となるのを防止し、燃料の完全燃焼を推進する。尚、管体６２は、円筒５９上部側面で対称に２本とする必要は無く、片側１本で良く、製作コストを低減することができ、攪拌し過ぎないで軽量になった焼却灰を有効に燃焼炉側壁５６に向かわせる。また、管体６２を片側１本とすることによって、エアー吹き込みノズル５３から吐出する空気量と攪拌体６３の通風孔６４から吐出する空気量のバランスをとることが容易になる。
図７は、本考案の乾燥バイオ燃料粉燃焼炉の要部斜視図を示す。同図において、メンテナンスハッチ４９の下部一部を灰出し開口部として、灰出しダクト７０がメンテナンスハッチ４９を貫通して、燃焼炉内５２と燃焼室部４０外部と連通している。７１は貯灰箱で、水が張られ、灰出しダクト７０一端が貯灰箱の水中に没している。図８は、図７のB-Bにおける部分断面図を示す。軽量になった焼却灰は、燃焼炉側壁５６に向かい、燃焼炉側壁５６下部を旋回方向、時計の針進行方向に周回しているので、メンテナンスハッチ４９背面の灰出し開口部７２に集まり、灰出しダクト７０を経由して貯灰箱７１に集塵される。灰出し開口部７２は、耐火キャスタブル４６の燃焼炉側壁５６下部が一部取り除かれ、灰出しダクト７０が、燃焼室部４０の外郭４３に設けられる。本実施例では、メンテナンスハッチ４９背面を灰出し開口部７２としたが、燃焼炉側壁５６下部であれば、燃料投入口５０下側近傍を除き自由に決めることができるが、燃料投入口５０下側旋回流風上側近傍が望ましい。
【００２０】
図１において、８１は、熱水槽部８０の円筒に形成された鋼板等より成る外郭で、燃焼室部４０外形より大きく形成され、熱水槽部８０容積を極力大きく確保し熱容量を大きくしている。内部に耐火キャスタブル４６の内径Dとほぼ等しい内径を有する円筒空間８２が形成され、燃焼炉内５２と連通している。熱水槽部８０の縦断面形状は、逆凹字の熱水槽８３を形成している。円筒空間８２の天面８４と円筒空間側面８５の下部が、複数のL字状の加熱管８６で連通して設けられている。８７はメンテナンスハッチで、熱水槽８３を貫通して、加熱管８６にアクセスできる。８８は煙道で、円筒空間８２の天面８４中心から、熱水槽８３上部を貫通し、熱水槽部８０の外郭８１の上部外郭８９を貫通して、燃焼ガスが排出される。上記構成とすることで、複数のL字状の加熱管８６の外側、円筒空間８２の天面８４と円筒空間側面８５、熱水槽８３を貫通する煙道８８の合計面積が、伝熱面積として作用するので、熱効率が良いボイラー部とすることができるものである。
９０は、水位調整器で、水道水等が給水管９１から給水され、熱水槽８３へ給水管９２を介して供給される。水位調整機９０は、外郭８１上部に設けられた取り付け具９３に取り付けられる。水位調整機９０の上部と熱水槽８３の最上部には連通管（図示せず）が設けられ、蒸気抜きの安全弁（図示せず）を水位調整器９０に収納している。
図２において、９４は、熱水槽８３上部の外郭８１側面に設けた温水の吐出口で、９５は、熱水槽８３下部の外郭８１側面に設けた吸込み口である。吸込み口９５は、図２に破線で示す実線と対向する位置に設けることが望ましい。吐出口９４には給湯設備が接続、または、熱交換設備と接続された場合は、吸込み口９５とも接続され、別途設けられる循環ポンプで温水を循環して利用される。
【００２１】
図２において、１００はサイクロンで、煙道８８の吐出部とダクト１０１を介して連接している。サイクロン１００下部には煤塵収集チャンバー１０２が設けられている。煤塵収集チャンバー１０２は、基礎フレーム２１に載置固定され、収集チャンバー１０２下部に設けられたメンテナンスハッチ（図示せず）から煤塵を取り出すことができる。１０３は、サイクロン排煙筒で、内部に排煙ジェット１０４が設けられている。排煙ジェット１０４には、単独で送風機１０５が設けられているので、燃焼炉内５２の燃焼ガスを誘引排気する量を調整することができ、燃焼炉内５２を負圧にする操作が容易である。
【符号の説明】
【００２２】
１０  乾燥バイオ燃料粉燃焼炉
２０  エアーチャンバー部
２１  基礎フレーム
２２  メンテナンスハッチ
２３  外装パネル
２４  保護カバー
２５  ギヤードモータ
２６  ギヤードモータ受けフレーム
２７  送風機
２８  吐出ダクト
２９  軸受けフレーム
３０  ラジアル軸受け
３１  スラスト軸受け
３２  スプロケット
３３  スプロケット
３４  チェーン
３５  天板
３６  エアーチャンバー空間
４０  燃焼室部
４１  燃焼室部中心線
４２  回転軸
４３  外郭
４４  底板
４５  フランジ
４６  耐火キャスタブル
４７  フランジ
４８  ガセットプレート
４９  メンテナンスハッチ
５０  燃料投入口
５１  バーナー
５２  燃焼炉内
５３  エアー吹き込みノズル
５４  開口
５５  千鳥状
５６  燃焼炉側壁
５７  円筒の堰
５８  通風孔
５９  円筒
６０  端板
６１  短管
６２  管体
６３  攪拌体
６４  通風孔
６５  ソケット
７０  灰出しダクト
７１  貯灰箱
７２  灰出し開口部
８０  熱水槽部
８１  外郭
８２  円筒空間
８３  熱水槽
８４  天面
８５  円筒空間側面
８６  加熱管
８７  メンテナンスハッチ
８８  煙道
８９  上部外郭
９０  水位調整器
９１  給水管
９２  給水管
９３  取り付け具
９４  吐出口
９５  吸込み口
１００  サイクロン
１０１  ダクト
１０２  煤塵収集チャンバー
１０３  サイクロン排煙筒
１０４  排煙ジェット
１０５  送風機
【図１】
0003151271.tif 000003
【図２】
0003151271.tif 000004
【図３】
0003151271.tif 000005
【図４】
0003151271.tif 000006
【図５】
0003151271.tif 000007
【図６】
0003151271.tif 000008
【図７】
0003151271.tif 000009
【図８】
0003151271.tif 000010
【手続補正書】
【提出日】平成21年4月7日(2009.4.7)
【手続補正１】
【補正対象書類名】実用新案登録請求の範囲
【補正対象項目名】全文
【補正方法】変更
【補正の内容】
【実用新案登録請求の範囲】
【請求項１】
乾燥バイオ燃料粉を燃焼させる燃焼炉であって、耐火物からなる円形炉底に埋め込まれ、且つ傾斜した複数のエアー吹き込みノズルと、該円形炉底中心に設けた通風孔を貫通する回転軸上端に、一端を端板で閉塞した円筒を固設し、該円筒上部側面から水平に延伸する管体を設け、該管体に複数の垂下する複数の通風孔を備えた攪拌体と、円筒燃焼炉側壁上部へ接線方向に投入する燃料投入口と、該円筒燃焼炉側壁下部へ内部に火炎を噴射するバーナーと、燃焼室上部には円筒空間を設け、該円筒空間に位置される燃焼炉で燃焼した排出される燃焼ガスで管外を加熱する複数の加熱管の一端が、該円筒空間天面と他端が該円筒空間側面下部と連通するように設け、該円筒空間側面と上部を覆う熱水槽と、該熱水槽上部を貫通する煙道とを備えたことを特徴とする乾燥バイオ燃料粉燃焼炉。
【請求項２】
エアー吹き込みノズルは、先端にノズルを備え、上記円形炉底中心から複数の放射線状に配設され、且つ放射線に対し千鳥状に配設され、上記燃料投入口と同一方向に傾斜角度を１５〜３０度としたことを特徴とする請求項１に記載の乾燥バイオ燃料粉燃焼炉。
【請求項３】
上記円形炉底下部にエアーチャンバーを設け、該エアーチャンバー内部に上記回転軸駆動装置を備え、該エアーチャンバーへ空気を供給する送風機を備えたことを特徴とする請求項１又は２に記載の乾燥バイオ燃料粉燃焼炉。
【請求項４】
上記一端を端板で閉塞した円筒の下端部外周に極小隙間を設けて、上記円形炉底の基部から短管を設けたことを特徴とする請求項１〜３のいずれか一項に記載の乾燥バイオ燃料粉燃焼炉。
【請求項５】
上記攪拌体の下端は閉塞され、該攪拌体の通風孔は回転方向に位置し、該攪拌体を上下自在に移動固設するソケットを設けたことを特徴とする請求項１〜４のいずれか一項に記載の乾燥バイオ燃料粉燃焼炉。
【請求項６】
上記燃焼炉の円形炉底外周部に灰出し開口部を設けたことを特徴とする請求項１〜５のいずれか一項に記載の乾燥バイオ燃料粉燃焼炉。
【請求項７】
上記煙道の吐出側に、下部に煤塵収集チャンバーを設けたサイクロンを設け、該サイクロン排煙筒に排煙ジェットを設けたことを特徴とする請求項１〜６のいずれか一項に記載の乾燥バイオ燃料粉燃焼炉。
【請求項８】
上記熱水槽外周上部に温水の吐出口と下部に吸込み口を設けたことを特徴とする請求項１〜７のいずれか一項に記載の乾燥バイオ燃料粉燃焼炉。